(57)【特許請求の範囲】
【請求項１】
機器の消費エネルギーの属性を判別するエネルギー属性判別装置であって、
機器の単位時間当たりの消費エネルギー量を取得する取得手段と、
前記取得手段により取得した前記機器の単位時間当たりの消費エネルギー量の時系列変化が、周期性を持つか否かを判断する判断手段と、
前記判断手段により判断した結果に基づいて、前記機器の消費エネルギーの属性が、定期的に消費される固定エネルギーであるか、変動的に消費される変動エネルギーであるかを判別するエネルギー判別手段とを備え、
前記判断手段は、前記取得手段により取得した前記機器の単位時間当たりの消費エネルギー量の時系列変化に基づいて相関係数を算出し、算出した相関係数から、周期性を持つか否かを判断する、エネルギー属性判別装置。
【請求項２】
前記相関係数の算出は、第１の機器の単位時間当たりの消費エネルギー量の時系列変化と、第２の機器の単位時間当たりの消費エネルギー量の時系列変化とを比較して行い、前記第１の機器が利用するエネルギーの種類と、前記第２の機器が利用するエネルギーの種類とは、同じである、請求項１に記載のエネルギー属性判別装置。
【請求項３】
前記相関係数の算出は、第１の機器の単位時間当たりの消費エネルギー量の時系列変化と、第２の機器の単位時間当たりの消費エネルギー量の時系列変化とを比較して行い、前記第１の機器が利用するエネルギーの種類と、前記第２の機器が利用するエネルギーの種類とは、異なるものである、請求項１に記載のエネルギー属性判別装置。
【請求項４】
機器の消費エネルギーの属性を判別するエネルギー属性判別方法であって、
機器の単位時間当たりの消費エネルギー量を取得する過程と、
取得した前記機器の単位時間当たりの消費エネルギー量の時系列変化が、周期性を持つか否かを判断する過程と、
判断した結果に基づいて、前記機器の消費エネルギーの属性が、定期的に消費される固定エネルギーであるか、変動的に消費される変動エネルギーであるかを判別する過程とを備え、
判断する過程は、取得した機器の単位時間当たりの消費エネルギー量の時系列変化に基づいて相関係数を算出し、算出した相関係数から、周期性を持つか否かを判断する過程を含む、エネルギー属性判別方法。
【発明の詳細な説明】
【技術分野】
【０００１】
この発明は、エネルギー属性判別装置、およびエネルギー属性判別方法に関するものであって、特に、機器の消費エネルギーの属性を判別するエネルギー属性判別装置、およびエネルギー属性判別方法に関するものである。
【背景技術】
【０００２】
家庭内で利用する電気機器において、その機器名、利用時間、消費電力量等が示されたデータを保持する技術が、例えば、特開２００２−３６９３８５号公報（特許文献１）に開示されている。特許文献１によると、保持したデータを用いて、なるべく安価に電力を供給することとしている。
【先行技術文献】
【特許文献】
【０００３】
【特許文献１】特開２００２−３６９３８５号公報
【発明の概要】
【発明が解決しようとする課題】
【０００４】
ここで、機器の消費電力等の消費エネルギーは、その属性から、定期的に消費される固定エネルギーと、変動的に消費される変動エネルギーとに分けられる。
【０００５】
また、例えば１つの会社内で複数の工場を保有する場合、工場内で使用する機器の消費エネルギーの属性は、例えば工場毎にユーザによって任意に判別されており、同じ機器であっても、一方の工場では固定エネルギーと判別され、他方の工場では変動エネルギーと判別され、工場毎に異なる場合があった。
【０００６】
この発明の目的は、機器の消費エネルギーの属性を画一的に判別することができるエネルギー属性判別装置、およびエネルギー属性判別方法を提供することである。
【課題を解決するための手段】
【０００７】
この発明に係るエネルギー属性判別装置は、機器の消費エネルギーの属性を判別するエネルギー属性判別装置である。エネルギー属性判別装置は、機器の単位時間当たりの消費エネルギー量を取得する取得手段と、取得手段により取得した機器の単位時間当たりの消費エネルギー量の時系列変化が、周期性を持つか否かを判断する判断手段と、判断手段により判断した結果に基づいて、機器の消費エネルギーの属性が、定期的に消費される固定エネルギーであるか、変動的に消費される変動エネルギーであるかを判別するエネルギー判別手段とを備える。
【０００８】
このようなエネルギー属性判別装置は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【０００９】
一実施形態として、判断手段は、取得手段により取得した機器の単位時間当たりの消費エネルギー量の時系列変化に基づいて相関係数を算出し、算出した相関係数から、周期性を持つか否かを判断する。
【００１０】
好ましくは、相関係数の算出は、第１の機器の単位時間当たりの消費エネルギー量の時系列変化と、第２の機器の単位時間当たりの消費エネルギー量の時系列変化とを比較して行い、第１の機器が利用するエネルギーの種類と、第２の機器が利用するエネルギーの種類とは、同じである。こうすることにより、同じ種類のエネルギーを比較できるため、容易に消費エネルギーの属性を判別することができる。
【００１１】
さらに好ましくは、相関係数の算出は、第１の機器の単位時間当たりの消費エネルギー量の時系列変化と、第２の機器の単位時間当たりの消費エネルギー量の時系列変化とを比較して行い、第１の機器が利用するエネルギーの種類と、第２の機器が利用するエネルギーの種類とは、異なるものである。こうすることにより、利用するエネルギーの種類に関係なく、消費エネルギーの属性を判別することができる。
【００１２】
この発明の他の局面においては、機器の消費エネルギーの属性を判別するエネルギー属性判別方法に関する。エネルギー属性判別方法は、機器の単位時間当たりの消費エネルギー量を取得する過程と、取得した機器の単位時間当たりの消費エネルギー量の時系列変化が、周期性を持つか否かを判断する過程と、判断した結果に基づいて、機器の消費エネルギーの属性が、定期的に消費される固定エネルギーであるか、変動的に消費される変動エネルギーであるかを判別する過程とを備える。
【００１３】
このようなエネルギー属性判別方法は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【発明の効果】
【００１４】
この発明に係るエネルギー属性判別装置は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【００１５】
また、この発明に係るエネルギー属性判別方法は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【図面の簡単な説明】
【００１６】
【図１】この発明の一実施形態に係るエネルギー属性判別装置と、エネルギー属性判別装置に接続される第１および第２の電力量計とを示すブロック図である。
【図２】エネルギー属性判別装置が、第１および第２の機器における消費エネルギーの属性を判別する場合について示すフローチャートである。
【図３】記憶した消費電力量のデータを示すグラフである。
【図４】第１の機器において、算出した相関係数の一覧を示す図である。
【図５】第１の機器において、消費電力量のデータを１日毎に分けて、重ね合わせた状態を示すグラフである。
【図６】第２の機器において、消費電力量のデータを１日毎に分けて、重ね合わせた状態を示すグラフである。
【発明を実施するための形態】
【００１７】
以下、図面を参照して、この発明の一実施形態に係るエネルギー属性判別装置について説明する。図１は、この発明の一実施形態に係るエネルギー属性判別装置１０と、エネルギー属性判別装置１０に接続される第１および第２の電力量計１５ａ，１５ｂとを示すブロック図である。図１を参照して、エネルギー属性判別装置１０は、エネルギー属性判別装置１０全体を制御する制御部１１と、外部装置とのインターフェース（Ｉ／Ｆ）となるＩ／Ｆ部１３と、Ｉ／Ｆ部１３を介して取得したデータを記憶する記憶部１２とを備える。
【００１８】
Ｉ／Ｆ部１３は、第１および第２の電力量計１５ａ，１５ｂと接続されて、第１および第２の電力量計１５ａ，１５ｂにて計測された消費電力量のデータを取得する。記憶部１２は、Ｉ／Ｆ部１３を介して取得した消費電力量のデータを記憶する。
【００１９】
第１および第２の電力量計１５ａ，１５ｂは、例えば、１つの工場内の異なる第１および第２の機器１６ａ，１６ｂにそれぞれ接続されて、第１および第２の機器１６ａ，１６ｂが消費する消費電力量を計測する。また、第１および第２の電力量計１５ａ，１５ｂは、上記したように、エネルギー属性判別装置１０に接続されて、計測した消費電力量のデータを通知する。
【００２０】
エネルギー属性判別装置１０は、第１および第２の電力量計１５ａ，１５ｂから通知された消費電力量のデータに基づいて、第１および第２の機器１６ａ，１６ｂの消費エネルギーの属性を判別する。ここで、機器の消費エネルギーは、その属性として、定期的に消費される固定エネルギーと、変動的に消費される変動エネルギーとに分けられる。そして、エネルギー属性判別装置１０は、機器の消費エネルギーの属性が、固定エネルギーであるか、変動エネルギーであるかを判別する。この実施形態においては、機器が消費する消費エネルギーとして、電力を採用する。
【００２１】
ここで、エネルギー属性判別装置１０が、第１および第２の機器１６ａ，１６ｂにおける消費エネルギーの属性を判別する場合について説明する。図２は、エネルギー属性判別装置１０が、第１および第２の機器１６ａ，１６ｂにおける消費エネルギーの属性を判別する場合について示すフローチャートである。図１〜図２を参照して、説明する。
【００２２】
まず、第１および第２の電力量計１５ａ，１５ｂは、第１および第２の機器１６ａの消費電力量を計測する。消費電力量の計測は、例えば、所定の時間毎に４日間継続して行う。そして、計測した消費電力量のデータをエネルギー属性判別装置１０へ通知する。
【００２３】
そうすると、エネルギー属性判別装置１０は、第１および第２の電力量計１５ａ，１５ｂから計測した消費電力量のデータを受信する（図２において、ステップＳ１１、以下ステップを省略する）。これにより、エネルギー属性判別装置１０は、所定の時間毎の機器の消費エネルギー量を取得する。ここで、制御部１１は、取得手段１１ａとして作動する。そして、記憶部１２に消費電力量のデータを記憶する（Ｓ１２）。
【００２４】
図３は、記憶した消費電力量のデータを示すグラフである。図３を参照して、横軸で時刻を示し、縦軸で消費電力量を示している。また、第１の機器１６ａの消費電力量を点線で示し、第２の機器１６ｂの消費電力量を実線で示している。
【００２５】
そして、エネルギー属性判別装置１０は、第１の機器１６ａにおいて、記憶した所定の時間毎の消費電力量のデータを１日毎、すなわち、２４時間毎に分けて、第１日目のデータ、第２日目のデータ、第３日目のデータ、および第４日目のデータとする（Ｓ１３）。すなわち、記憶した所定の時間毎の消費エネルギー量のデータを、単位時間当たり、ここでは１日当たりの消費エネルギー量の時系列のデータとする。そして、第１日目のデータを基準として第２日目のデータの相関係数を算出する（Ｓ１４）。相関係数の算出式は、相関係数をＲｔとし、第１日目の消費電力量をｘとし、第２日目の消費電力量をｙとし、ｎを１日のデータ数とすると、
【００２６】
【数１】
0005392155.tif 000002
である。同様に、第１日目のデータを基準として第３日目のデータの相関係数、第１日目のデータを基準として第４日目のデータの相関係数、および第１日目のデータを基準として第１日目のデータの相関係数を算出する。すなわち、機器の単位時間当たりの消費エネルギー量の時系列変化に基づいて相関係数を算出する。
【００２７】
そして、算出した４日分の相関係数の平均値、すなわち、平均相関係数（Ｒ）を算出する（Ｓ１５）。そして、平均相関係数（Ｒ）が、０．８以上であれば（Ｓ１６において、ＹＥＳ）、固定エネルギーであると判別する（Ｓ１７）。０．８より小さければ（Ｓ１６において、ＮＯ）、変動エネルギーであると判別する（Ｓ１８）。すなわち、算出した相関係数を用いて、機器の単位時間当たりの消費エネルギー量の時系列変化が、周期性を持つか否かを判断する。平均相関係数が０．８以上であれば周期性を持つとし、０．８より小さければ周期性を持たないとする。そして、判断した結果に基づいて、機器の消費エネルギーの属性が、定期的に消費される固定エネルギーであるか、変動的に消費される変動エネルギーであるかを判別する。ここで、制御部１１は、判断手段１１ｂ、およびエネルギー判別手段１１ｃとして作動する。
【００２８】
図４は、第１の機器１６ａにおいて、算出した相関係数の一覧を示す図である。図４を参照して、第１日目を基準として、第１日目に対する相関係数（Ｒｔ）は、当然１である。また、第２日目に対する相関係数（Ｒｔ）は、０．８７である。また、第３日目に対する相関係数（Ｒｔ）は、０．８９である。また、第４日目に対する相関係数（Ｒｔ）は、０．９７である。そして、第１日目に対する４日分の平均相関係数（Ｒ）は、０．９３である。したがって、第１の機器１６ａにおける消費エネルギーの属性は、固定エネルギーであると判別する。
【００２９】
そして、第２の機器１６ｂにおいても同様に、Ｓ１３〜Ｓ１８の処理を行い、第２の機器１６ｂにおける消費エネルギーの属性は、変動エネルギーであると判別する。
【００３０】
図５は、第１の機器１６ａにおいて、消費電力量のデータを１日毎に分けて、重ね合わせた状態を示すグラフである。図６は、第２の機器１６ｂにおいて、消費電力量のデータを１日毎に分けて、重ね合わせた状態を示すグラフである。図５および図６を参照して、第１の機器１６ａでは、消費エネルギー量のデータにおいて日毎に周期性があるが、第２の機器１６ｂでは、消費エネルギー量のデータにおいて日毎に周期性がない。
【００３１】
このように、エネルギー属性判別装置１０は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【００３２】
また、このようなエネルギー属性判別方法は、機器の単位時間当たりの消費エネルギー量の時系列変化が、周期性を持つか否かを判断することによって、機器の消費エネルギーの属性が、固定エネルギーであるか変動エネルギーであるかを判別する。したがって、機器の消費エネルギーの属性の判別を、ユーザによる任意のものでなく、機器の単位時間当たりの消費エネルギー量に基づいて行うことができ、画一的に判別することができる。
【００３３】
なお、上記の実施の形態においては、消費エネルギーを機器毎に取得する例について説明したが、これに限ることなく、例えば、複数の機器をグループ化して、グループ毎に取得してもよい。また、消費エネルギーをグループ毎に取得して、固定エネルギーか変動エネルギーかの判別をグループ毎に行ってもよい。
【００３４】
また、上記の実施の形態においては、消費エネルギーとして、電力を採用する例について説明したが、これに限ることなく、機器の稼動状態を示す信号や、冷温水量や、蒸気量等であってもよい。また、発電量やガス量等であってもよいし、あらゆるエネルギーを採用することができる。
【００３５】
また、上記の実施の形態においては、消費エネルギー量の時系列変化の比較対象として、第１日目の消費電力量と第２日目の消費電力量とのように、同じ種類のエネルギーを比較する例について説明したが、これに限ることなく、例えば、一方は、プレス機の消費電力量であって、他方は、そのプレス機が設置されている部屋の温度のように、異なる種類のエネルギーを比較してもよい。こうすることにより、利用するエネルギーの種類に関係なく、消費エネルギーの属性を判別することができる。
【００３６】
さらに、固定エネルギーと判別したプレス機と、固定エネルギーと判別した部屋の温度とに相関関係があれば、例えば、プレス機と部屋の温度とに関連するものとして予め定められている空調機において、単位時間当たりの消費エネルギー量を取得することにより空調機の消費エネルギーの属性を判別することなく、自動的に空調機の消費エネルギーの属性が固定エネルギーであると判別してもよい。すなわち、機器の消費エネルギーの属性を判別した結果に応じて、その判別した機器に関連する機器においても、その判別した機器と同じ消費エネルギーの属性を持つと判別してもよい。
【００３７】
また、上記の実施の形態においては、固定エネルギーであるか変動エネルギーであるかの判別を、相関係数に基づいて行う例について説明したが、これに限ることなく、例えば、他の値に基づいて行ってもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３９】
この発明は、固定エネルギーと変動エネルギーとの判別が必要となる場合に、有効に利用される。
【符号の説明】
【００４０】
１０  エネルギー属性判別装置、１１  制御部、１１ａ  取得手段、１１ｂ  判断手段、１１ｃ  エネルギー判別手段、１２  記憶部、１３  Ｉ／Ｆ部、１５ａ，１５ｂ  電力量計、１６ａ，１６ｂ  機器。
【図１】
0005392155.tif 000003
【図２】
0005392155.tif 000004
【図３】
0005392155.tif 000005
【図４】
0005392155.tif 000006
【図５】
0005392155.tif 000007
【図６】
0005392155.tif 000008